(57)【特許請求の範囲】
【請求項１】
収納部を有する樹脂材からなる箱型のハウジングと、該ハウジングの上面を覆って取り付けられた金属材からなるカバーと、該カバーが取り付けられたハウジング内の前側面から外方に押圧部を突出させて該ハウジング内に収容された操作部材と、該操作部材が押し込み操作されることによって切り換えられる接点と接続されている導出端子を前記ハウジングの下面側から左右いずれか一方の側面外方に実装面から直角に曲げられて導出してなる複数の切り換え用接点部材とを備えた、電子機器のプリント基板に面実装する押し込み操作型電子部品であって、
一端側に前記ハウジングの後側面に表出した外側固定端子を有し、他端側に前記ハウジングの下面側から左右いずれか一方の側面外方に実装面から直角に曲げられて導出した導出端子を有するアース用接点部材を前記切り換え用接点部材と共に前記ハウジングにインサート成形して設け、かつ、前記カバーを前記アース用接点部材の外側固定端子に当接させて前記ハウジングに取り付けてなり、前記アース用接点部材の前記導出端子を前記プリント基板のアース回路に接続して装着される押し込み操作型電子部品において、
上記ハウジングは、前後の各側面の左右隅部に該ハウジングの下面に沿って外方へ突出された係合凸部を備え、上記カバーは、上記ハウジングの上面に位置する上面板と、該上面板の前後端から前記ハウジングの前後の側面に沿って垂下された複数の取付脚と、該各取付脚の下方に前記ハウジングの前記係合凸部の下面内に折り曲げて前記ハウジングにカシメ固定可能な係止片を備え、かつ、前記複数取付脚のうちの少なくとも１個の取付脚を上記アース用の外側固定端子に対向させて当接可能に設けてなり、
更に、前記アース用接点部材は導電性の金属板で形成され、該アース用接点部材の一端側にはハウジングの後側面で、且つ一方の一側面に偏った位置に、該ハウジングの上面から下面側に向かって垂下された状態で該後側面に沿って表出されて前記外側固定端子が形成されており、他端側にはハウジングの下面側から切り換え用接点部材の導出端子と同じ側面外方に導出されることによって前記導出端子が形成されてなることを特徴とする押し込み操作型電子部品。
【発明の詳細な説明】
【技術分野】
【０００１】
本発明は押し込み操作型電子部品及びプッシュスイッチに関するものであり、特に、種々の電子機器のプリント基板に面実装して使用するのに好適な押し込み操作型電子部品及びプッシュスイッチに関するものである。
【背景技術】
【０００２】
従来、電子機器のプリント基板に面実装によって取り付けられるプッシュスイッチ等の押し込み操作型電子部品は各種知られている（例えば、特許文献１参照）。
【０００３】
また、電子機器のプリント基板に実装して使用される押し込み操作型電子部品であるプッシュスイッチにあっては、操作する人の身体が帯びている静電気が、手や指からプッシュスイッチの操作部を介して電子機器の回路に流入しないように保護するための対策が必要とされる。その対策方法として、一般に、電子機器の操作部近傍の導電体に、静電気をプリント基板のアース回路に逃がすためのアース端子を設けている。
【０００４】
このような静電気対策を施した従来における押し込み操作型電子部品として、プッシュスイッチを一例として図１０〜図１４を用いて次に説明する。
【０００５】
図１０は静電気対策を施した従来のプッシュスイッチの斜視図、図１１は図１０のＢ−Ｂ線断面図、図１２は同上プッシュスイッチの正面図、図１３は同上プッシュスイッチの平面図、図１４は同上プッシュスイッチの側面図である。
【０００６】
図１１に示すように、プッシュスイッチ１０１は、上面開放となった収納部１０３を有する樹脂材で形成された箱形のハウジング１０２を備え、該ハウジング１０２の内底部に弾性金属薄板製の円形ドーム状の可動接点１０４が載せられ、該可動接点１０４の中央下面がハウジング１０２にインサート成形固定された金属薄板製の固定接点１０５ａ,１０５ｂと対峙されている。さらに、可動接点１０４の上部に保護フィルム１０６を介して樹脂製の操作部材１０７が載せられ、該操作部材１０７の上から該ハウジング１０２の上面を覆って金属材のカバー１０８が取り付けられている。
【０００７】
前記ハウジング１０２は、該ハウジング１０２における前後の側面１０２ａ,１０２ｂの左右隅部に、それぞれ該ハウジング１０２の下面１０２ｃに沿って外方へ突出された係合凸部１０９,１０９を備える。また、ハウジング１０２にインサートされている固定接点１０５ａ,１０５ｂの他端側は該ハウジング１０２の下面１０２ｃに導出され、さらに、該他端側に該下面１０２ｃからハウジング１０２の左右側面１０２ｄ,１０２ｄ外方に向かう導出端子１０５Ａ,１０５Ｂを設けている。
【０００８】
前記操作部材１０７は、ハウジング１０２の前側面１０２ａに設けている開口部１１１を貫通してハウジング１０２の前側面１０２ａから外方に突出された押圧部１０７ａと可撓性の作動部１０７ｂとを有する。
【０００９】
前記カバー１０８は、ハウジング１０２の上面に位置し、かつ、中央に収納部１０３の内側に向かって斜めに切り起こされた傾斜片１１０を有する上面板１０８ａと、該上面板１０８ａの前後の端からハウジング１０２の前後の側面１０２ａ,１０２ｂに沿ってそれぞれ左右１対ずつ垂下された４個の取付脚１０８ｂ,１０８ｂ,１０８ｂ,１０８ｂと、該各取付脚１０８ｂ,１０８ｂ…の下方にハウジング１０２の係合凸部１０９に対向して各々設けられた係止片１０８ｃを備え、該係止片１０８ｃを該係合凸部１０９の下面内に折り曲げてカシメることによりハウジング１０２に取り付けられている。
【００１０】
なお、ハウジング１０２の前側面１０２ａに設けられた左右１対の取付脚１０８ｂ,１０８ｂの間は、少なくとも前記操作部１０７の作動部１０７ｂが配置されるのに十分な量だけ離されている。
【００１１】
また、上面板１０８ａの後端中央には、該上面板１０８ａの後端からハウジング１０２の後側面１０２ｂに沿って垂下されたアース端子片１１２が設けられている。該アース端子片１１２の下方は下面をハウジング１０２の底面とほぼ同じ高さにして、外方に向かってほぼ直角に折り曲げられて略Ｌ字状に形成されている。
【００１２】
この従来のプッシュスイッチ１０１は、図１４に示すように、実装されるプリント基板１１５から操作部材１０７を前方（同図において左方）に突出させ、かつ、各導出端子１０５Ａ,１０５Ｂを対応する配線部に半田付けして表面実装状態で搭載される。また、実装される時に、金属のカバー１０８のアース端子片１１２も対応するアース回路の配線部に半田付けされる。
【００１３】
このようにしてプリント基板１１５に実装されたプッシュスイッチ１０１は、操作部材１０７が図１１の２点鎖線で示す位置に配置されている状態で、押圧部１０７ａの前端を後方に向かって水平に押し込むと、操作部材１０７がハウジング１０２上面に沿って保護フィルム１０６上を水平に移動し、作動部１０７ｂの先端が傾斜片１１０で下方に案内され、下方に位置する円形ドーム状の可動接点１０４に押し下げ力を加える。
【００１４】
その押し下げ力が所定の大きさを超えると、図１１に実線で示すように、可動接点１０４の中央部が反転動作して、その中央部下面が固定接点１０５ａ,１０５ｂに接触して、可動接点１０４を介して各導出端子１０５Ａ,１０５Ｂ間が短絡したスイッチオン状態となる。なお、操作部材１０７の押し込み量は、押圧部１０７ａの後面がハウジング１０２の前側面１０２ａに当接するとそれ以上の押し込みが規制される。
【００１５】
一方、押圧部１０７ａの操作力を解くと、可動接点１０４が元の上方凸形に自己復元して作動部１０７ｂが押し上げられ、該作動部１０７ｂの先端が傾斜片１１０で案内されることにより操作部材１０７は図１１に２点鎖線で示す位置まで前方に押し戻されて、元のスイッチオフ状態に戻る。
【００１６】
そして、使用電子機器のプリント基板１１５に装着されたプッシュスイッチ１０１を操作する人の指が、押圧部１０７ａの前端を押す際に、操作する人の身体に帯びている静電気が指から操作部材１０７に流れても、その静電気はカバー１０８及びアース端子片１１２を通ってプリント基板１１５のアース回路に流される。
【特許文献１】特開平９−１２０７４２号公報
【発明の開示】
【発明が解決しようとする課題】
【００１７】
しかしながら、上記従来のプッシュスイッチのように、カバー１０８における上面板１０８ａの後端からハウジング１０２の後側面１０２ｂに沿って垂下されたアース端子片１１２を設け、該アース端子片１１２をプリント基板１１５のアース回路の配線部に半田付けして静電気対策を行う構造においては、アース端子片１１２を半田付けする際に、ハウジング１０２とアース端子片１１２の隙間S1(図１４参照)に毛細管現象でフラックスが流入する可能性があり、半田付け時のフラックス管理が難しいという問題があった。
【００１８】
そのフラックスの流入防止対策として、ハウジング１０２とアース端子片１１２の隙間S1を大きく確保して毛細管現象を無くす構造が求められているが、隙間S1を大きくすることによって外形サイズが大きくなるという問題点があった。さらに、アース端子片１１２は、その先端(下端)が外方へ直角に折り曲げられているので、カバー１０８からの突出量S2だけ大きくなり、小型化の面で問題があった。
【００１９】
また、アース端子片１１２をカバー１０８に設けているので、アース端子片１１２の半田付け面がハウジング１０２とカバー１０８の組み込み寸法となり、ハウジング１０２側にインサートして設けている導出端子１０５Ａ,１０５Ｂの半田面との間に誤差が生じ易く、メタルマスク厚の薄い半田付けに適さないという問題があった。
【００２０】
そこで、半田付け時のフラックス管理が簡単であるとともに、メタルマスク厚の半田付けにも対応でき、また小型・薄型化が可能な構造にするために解決すべき技術的課題が生じてくるのであり、本発明はこの課題を解決することを目的とする。
【課題を解決するための手段】
【００２１】
本発明は上記目的を達成するために提案されたものであり、請求項１記載の発明は、収納部を有する樹脂材からなる箱型のハウジングと、該ハウジングの上面を覆って取り付けられた金属材からなるカバーと、該カバーが取り付けられたハウジング内の前側面から外方に押圧部を突出させて該ハウジング内に収容された操作部材と、該操作部材が押し込み操作されることによって切り換えられる接点と接続されている導出端子を前記ハウジングの下面側から左右いずれか一方の側面外方に実装面から直角に曲げられて導出してなる複数の切り換え用接点部材とを備えた、電子機器のプリント基板に面実装する押し込み操作型電子部品であって、
一端側に前記ハウジングの後側面に表出した外側固定端子を有し、他端側に前記ハウジングの下面側から左右いずれか一方の側面外方に実装面から直角に曲げられて導出した導出端子を有するアース用接点部材を前記切り換え用接点部材と共に前記ハウジングにインサート成形して設け、かつ、前記カバーを前記アース用接点部材の外側固定端子に当接させて前記ハウジングに取り付けてなり、前記アース用接点部材の前記導出端子を前記プリント基板のアース回路に接続して装着される押し込み操作型電子部品において、
上記ハウジングは、前後の各側面の左右隅部に該ハウジングの下面に沿って外方へ突出された係合凸部を備え、上記カバーは、上記ハウジングの上面に位置する上面板と、該上面板の前後端から前記ハウジングの前後の側面に沿って垂下された複数の取付脚と、該各取付脚の下方に前記ハウジングの前記係合凸部の下面内に折り曲げて前記ハウジングにカシメ固定可能な係止片を備え、かつ、前記複数取付脚のうちの少なくとも１個の取付脚を上記アース用の外側固定端子に対向させて当接可能に設けてなり、
更に、前記アース用接点部材は導電性の金属板で形成され、該アース用接点部材の一端側にはハウジングの後側面で、且つ一方の一側面に偏った位置に、該ハウジングの上面から下面側に向かって垂下された状態で該後側面に沿って表出されて前記外側固定端子が形成されており、他端側にはハウジングの下面側から切り換え用接点部材の導出端子と同じ側面外方に導出されることによって前記導出端子が形成されてなる押し込み操作型電子部品を提供する。
【００２２】
この構成によれば、アース用の接点部材は切り換え用接点部材と共にハウジングにインサート成形されているので、導出端子をプリント基板の配線部に半田付けする時にフラックスの流入をインサート箇所で防止できる。また、アース用接点部材の外側固定端子は、アース用接点部材の導出端子及び切り換え用接点部材の導出端子が導出されている左右いずれかの側面と交差しているハウジングの前または後側面に導出されていて、該前または後側面でカバーが外側固定端子に当接されてアースをとる構造を採用しているので、導出端子をプリント基板の配線部に半田付けする時、カバーは半田付けする箇所から大きく離れている状態になっている。したがって、フラックスがハウジングとカバーの隙間から侵入することもない。さらに、ハウジングの下面よりアース機能を持つアース用接点部材の導出端子を導出させることができ、該アース用接点部材の導出端子と切り換え用接点部材の導出端子の高さのバラツキ(コプラナリティ)が小さくなる。
【００２４】
この構成によれば、カバーにおける取付脚の係止片をハウジングの係合凸部の下面内に折り曲げてカシメることにより、操作力を該カシメ部分である係合凸部の下面でも受けるようにしたため、カバーの剥離強度が増す。
【発明の効果】
【００２９】
請求項１記載の発明は、ハウジングにアース用の接点部材及び切り換え用接点部材をインサート成形していることにより、アース用の接点部材及び切り換え用接点部材の各導出端子をプリント基板の配線部に半田付けするときにフラックスの流入をインサート成形部分で防止することができる。また、該各導出端子をプリント基板の配線部に半田付けする時、フラックスがハウジングとカバーの隙間から侵入することもないので、半田付け時のフラックス管理が簡単になる。さらに、カバーとハウジングの隙間を無くした構造にすることができるので、製品の小型・薄型化に貢献できる。また、ハウジングの下面よりアース機能を持つアース用接点部材の導出端子を導出させることができ、各導出端子の高さのバラツキを小さくできるため、部品の小型・薄型化に伴う半田のメタルマスク厚薄化への対応が可能となる。
【００３０】
この発明は、操作力をハウジングの係合凸部の下面でも受けるようにしたため、前記効果に加えて、カバーの剥離強度を向上したものにすることができる。
【発明を実施するための最良の形態】
【００３３】
半田付け時のフラックス管理が簡単であるとともに、メタルマスク厚の半田付けにも対応でき、また小型・薄型化が可能な構造にするという目的を達成するために、収納部を有する樹脂材からなる箱形のハウジングと、該ハウジングの上面を覆って取り付けられた金属材からなるカバーと、該カバーが取り付けられたハウジング内の前側面から外方に押圧部を突出させて該ハウジング内に収容された操作部材と、該操作部材が押し込み操作されることによって切り換えられる接点と接続されている導出端子を前記ハウジングの下面側から左右いずれか一方の側面外方に導出してなる複数の切り換え用接点部材とを備えてなり、電子機器のプリント基板に面実装する押し込み操作型電子部品において、一端側に前記ハウジングの前または後側面に表出した外側固定端子を有し、他端側に前記ハウジングの下面側から左右いずれか一方の側面外方に導出した導出端子を有するアース用接点部材を前記切り換え用接点部材と共に前記ハウジングにインサート成形して設け、かつ、前記カバーを前記アース用接点部材の外側固定端子に当接させて前記ハウジングに取り付けてなり、前記アース用接点部材の前記導出端子を前記プリント基板のアース回路に接続して装着される構造にしたことにより実現した。
【実施例】
【００３４】
以下、本発明の押し込み操作型電子部品の一実施例を図１〜図９に示すプッシュスイッチを一例として説明する。図１は該プッシュスイッチを示す斜視図、図２は操作部材を押し込んだ状態で示す図１のＡ−Ａ線に沿う断面図、図３は該プッシュスイッチの正面図、図４は該プッシュスイッチの平面図、図５は該プッシュスイッチの側面図、図６は該プッシュスイッチの底面図、図７は該プッシュスイッチの要部分解斜視図、図８はハウジングを示す斜視図、図９は接点部材の配置状態及びカバーの取り付け状態を簡略化して示す説明図である。
【００３５】
図１〜図９において、プッシュスイッチ１のハウジング２は、樹脂材からなり、図２及び図７,図８に示す収納部３を有する上面開口状の箱形に形成されている。この収納部３の内底部４には、導電性の金属板からなる切り換え用接点部材としての一対の第１接点部材５,６と、同じく導電性の金属板からなるアース用接点部材としての第２接点部材７がインサート成形により一体に埋設されている。
【００３６】
図２及び図７,図８に示すように、前記１対の第１接点部材５,６の一端側には一部が収納部３の内底部４に表出された固定接点５ａ,６ａが設けられ、他端側にはハウジング２の下面２ａ側から対向する左右１対の側面２ｂ,２ｂ外方にそれぞれ導出された導出端子(外部端子)５ｂ,６ｂが設けられている。なお、第１接点部材５の導出端子５ｂはハウジング２の後側面２ｃの中央にも、下面２a側から該後側面２ｃ外方に導出して設けられている。
【００３７】
一方、前記第２接点部材７の一端側にはハウジング２の後側面２ｃで、かつ、一方の一側面２ｂに偏った位置(図７,図８,図９では右側面２ｂに偏った位置)に、該ハウジング２の上面２ｄから下面２ａ側に向かって垂下された状態で該後側面２ｃに沿って表出されている外側固定端子７ａが設けられ、他端側にはハウジング２の下面２ａ側から第１接点部材６の導出端子６ｂと同じ側面２ｂ外方に導出されて導出端子７ｂが設けられている。
【００３８】
また、前記ハウジング２の前側面２ｅには、前記収納部３に連通する開口部８が設けられており、該開口部８から後述する操作部材９の押圧部９ａ及び作動部９ｂの一部が突出されて該操作部材９が収納部３内に収納される構造となっている。また、ハウジング２の前後の側面２ｃ,２ｅの左右両端部には、後述するカバー１０に設けている取付脚１０ｂの係止片１０ｃがカシメ係合される前または後の外方へ突出する係合凸部１２が形成されている。
【００３９】
前記収納部３の一対の固定接点５ａ,６ａ上には、導電性の薄板金属板でドーム状に湾曲して反転可能に形成された可動接点１３が載置されている。該可動接点１３は、ドーム状の頂部下面が内底部４に表出された一方の固定接点６ａと一定の間隔を維持して対峙されており、また、ドーム状の外周の周縁部が収納部３の内底部に表出された他方の固定接点５ａと接触した状態で配置されている。
【００４０】
また、可動接点１３の上面側には、ポリアミド樹脂等の絶縁性の樹脂シート材からなる保護シート１４が配設されている。該保護シート１４は周縁部が前記ハウジング２の収納部３上面に載置されて該収納部３の開口を覆うように接着剤等で固着されており、該収納部３内に配設された各接点部へのゴミ、異物等の侵入を防止している。
【００４１】
図７に示すように、前記操作部材９は樹脂材等からなり、前記ハウジング２の開口部８から常に突出している押圧部９ａと、該押圧部９ａから前記収納部３内に突出して形成された作動部９ｂと、該作動部９ｂの周りに設けられた開口部１５ｃを介して該作動部９ｂの両側部及び後部を囲むように該作動部９ｂに接続して形成されたスライド部９ｃとを有している。また、該押圧部９ａは、該作動部９ｂの前先端側で該作動部９ｂから上下及び左右外方に向かって直角に大きく突出された状態で設けられている。
【００４２】
該押圧部９ａは、操作部材９をハウジング２外側から押し込み力を付与するときの操作面となる機能に加えて、ハウジング２の開口部８の左右両側に位置して設けられる後述するカバー１０の取付脚１０ｂ,１０ｂが前方外側に変形するのを防止するための機能も有しているもので、該押圧部９ａの左右方向の幅は、図３に示すようにカバー１０の取付脚１０ｂ,１０ｂの幅よりも十分大きく形成されている。そして、操作部材９がハウジング２の収納部３内に向かって押し込まれて、該操作部材９が最大位置まで摺動された時に、該押圧部９ａの後面が取付脚１０ｂ,１０ｂの前面の少なくとも一部を覆って当接して(あるいは、押圧部９ａの後面がハウジング２の前側面２ｅに当接し、かつ、取付脚１０ｂ,１０ｂの前面に極めて接近して)、該取付脚１０ｂ,１０ｂが前方外側へ変形しようとするのをブロックして抑える。
【００４３】
なお、該操作部材９は、ハウジング２の収納部３に配設された保護シート１４の上面側に配置され、押圧部９ａが前記ハウジング２の開口部８から外方に突出されると共に、作動部９ｂの自由端である当接部９ｄが前記保護シート１４を挟んで前記可動接点１３のドーム状の頂部上面に対向して配設され、スライド部９ｃが前記収納部３内に摺動可能に収納されて設けられる。
【００４４】
前記カバー１０は、金属板を打ち抜き折り曲げることにより形成されており、前記ハウジング２の上部に取り付けられて収納部３を覆うように平板状に形成された上面板１０ａと、該上面板１０ａの前後端における左右両側部からそれぞれ略直角に折り曲げられてＬ字状に垂下された４個の前記取付脚１０ｂ,１０ｂ…を有している。また、該取付脚１０ｂ,１０ｂ…の先端には前記係止片１０ｃが設けられており、該係止片１０ｃをハウジング２の前後の側面２ｃ,２ｅにおける左右両端部に設けられた前記係止凸部１２の下面にカシメて係止することによりカバー１０がハウジング２上部に取り付けられている。
【００４５】
なお、ハウジング２の後側面２ｃに沿って取り付けられる左右１対の取付脚１０ｂ,１０ｂのうち、一方の取付脚１０ｂは第２接点部材７の外側固定端子７ａと対応しており、該カバー１０がハウジング２上部に取り付けられたとき、図９に示しているように、外側固定端子７ａと当接して電気的接続が図られる。この外側固定端子７ａと取付脚１０ｂとの当接は、該取付脚１０ｂの係止片１０ｃをハウジング２側に折り曲げて係止凸部１２にカシメることによってより強固に保持される。
【００４６】
また、前記上面板１０ａの略中央には、前記ハウジング２の収納部３内に折り曲げられて形成され、前記操作部材９の作動部９ｂの当接部９ｄと当接して該作動部９ｂを前記可動接点１３の押圧方向へ案内する傾斜部１０ｄが形成されている。該傾斜部１０ｄは、上面板１０ａの板面をハウジング２の収納部３内へ操作部材９の押圧方向に沿って略４５度の傾斜を持って折り曲げられている。なお、該傾斜部１０ｄは、前記カバー１０が前記ハウジング２の上部に取り付けられた際には、操作部材９のスライド部９ｃに設けられた開口部１５内に位置して配置される。そして、操作部材９の押圧部９ａが横方向(前面側)から押圧されることにより、傾斜部１０ｄに作動部９ｂの当接部９ｄ（自由端）が当接することで該当接部９ｄが前記可動接点１３の押圧方向（押圧部９ａの押圧方向と直交する下方向）へ案内され、可動接点１３が下方へ押圧されて前記固定接点５ａ,６ａと接触するものとなっている。
【００４７】
なお、このプッシュスイッチ１は、ハウジング２の収納部３内に可動接点１３、保護シート１４、操作部材９を順に収納した後、該ハウジング２の上部からカバー１０を装着し、該カバー１０の４個の取付脚１０ｂ,１０ｂ,１０ｂ,１０ｂの係止片１０ｃをそれぞれ対応するハウジング２の係合凸部１２の下面でカシメて係合させることにより一体化されて組み立てられる。
【００４８】
また、使用時には、図５に示すように、実装されるプリント基板２０から操作部材９を前方に突出させて、各導出端子５ｂ,６ｂ,７ｂを対応する配線部に半田付けして表面実装状態で搭載される。その実装状態で、アース用の第２接点部材７は導出端子７ｂを介してプリント基板２０上のアース回路の配線部に接続され、カバー１０も該第２接点部材７を介してアース回路の配線部に接続される。
【００４９】
次に、上記構成のプッシュスイッチの動作について図２を用いて説明する。
まず、図２に２点鎖線で示す初期の状態では、操作部材９は、作動部９ｂの当接部９ｄ（自由端）が保護シート１４を介して可動接点１３のドーム状の頂部上面に当接されている。そして、可動接点１３が有する上方への弾性付勢力と、カバー１０の傾斜部１０ｄの傾斜面との相乗作用により、図示左方向（押圧部９ａの押圧方向とは逆方向）に付勢されて押圧部９ａは外方(前方)へ突出されている。この時、可動接点１３は外周の周縁部が固定接点５ａと接触しているがドーム状の頂部下面が固定接点６ａと離間しておりスイッチはオフ状態となっている。
【００５０】
この状態から、押圧部９ａが図示右方向へ押圧されると、作動部９ｂの当接部９ｄ（自由端）がカバー１０の傾斜部１０ｄに沿って下方向（押圧部９ａの押圧方向とは直交する下方向）に案内され、保護シート１４を介して可動接点１３のドーム状の頂部上面を押圧することで可動接点１３が下方へ反転するものとなる。そして、可動接点１３のドーム状の頂部下面が固定接点６ａと接触することで、固定接点５ａと６ａが電気的に接続され、スイッチがオン状態となる。
【００５１】
また、操作部材９がハウジング２の収納部３内に向かって押し込まれて最大位置まで摺動された時に、該押圧部９ａの後面が取付脚１０ｂ,１０ｂの前面の一部または全部を覆って該取付脚１０ｂ,１０ｂに当接、あるいは、該押圧部９ａの後面がハウジング２の前側面２ｅに当接し、かつ、取付脚１０ｂ,１０ｂの前面と接近し、該取付脚１０ｂ,１０ｂが前方外側に変形して係止片１０ｃが係合凸部１２から外れるのを前側からブロックして防ぐ。
【００５２】
次に、このオン状態から、押圧部９ｂへの押圧が解除されると、可動接点１３は自身が有する反転復帰力により上方へ反転復帰し、スイッチがオフ状態となる。そして、この時の付勢力で作動部９ｂの当接部９ｄは、逆に傾斜部１０ｄに沿って図示左方向（押圧部９ａの押圧方向とは逆方向）に付勢されて押圧部９ａが外方へ突出して初期の状態に復帰するものとなる。
【００５３】
そして、使用電子機器のプリント基板２０に装着されたプッシュスイッチ１を操作する人の指が、押圧部９ａの前端を押す際に、操作する人の身体に帯びている静電気が指から操作部材９に流れると、その静電気はカバー１０及び第２接点部材７を通ってプリント基板２０のアース回路に流される。
【００５４】
上記した本発明の実施例によれば、アース用の第２接点部材７は切り換え用の第１接点部材５,６と共にハウジング２にインサート成形されているので、導出端子５ｂ,６ｂ,７ｂをプリント基板２０の配線部に半田付けするときにフラックスの流入をインサート成形部分で防止することができる。
【００５５】
また、第２接点部材７の外側固定端子７ａは、第２接点部材７の導出端子７ｂ及び第１接点部材５,６の導出端子５ｂ,６ｂが導出されている左右の側面２ｂ,２ｂと交差しているハウジング２の後側面２ｃに導出されていて、該後側面２ｃ側でカバー１０の取付脚１０ｂが外側固定端子７ａに当接してアースをとる構造をとっているので、カバー１０は導出端子５ｂ,６ｂ,７ｂをそれぞれ半田付けする箇所から大きく離れている。このため、フラックスがハウジング２とカバー１０の隙間から侵入することもない。
【００５６】
さらに、ハウジング２の下面２ａよりアース機能を持つ第２接点部材７の導出端子７ｂを導出させることができ、第１接点部材５,６の導出端子５ｂ,６ｂとの高さのバラツキをなくして部品の小型・薄型化に伴う半田のメタルマスク厚薄化への対応が可能となる。
【００５７】
また、さらにカバー１０における取付脚１０ｂの係止片１０ｃをハウジング２の係合凸部１２の下面内に折り曲げてカシメ、操作力を該カシメ部分である係合凸部１２の下面でも受けるようにしているので、カバーの剥離強度が増すとともに、カバー１０と第２接点部材７の外側固定端子７ａとの当接強度も増す。
【００５８】
なお、本発明は、本発明の精神を逸脱しない限り種々の改変を為すことができ、そして、本発明が該改変されたものに及ぶことは当然である。
【図面の簡単な説明】
【００５９】
【図１】本発明の一実施例に係るプッシャスイッチの斜視図。
【図２】図１のＡ−Ａ線に沿う断面図。
【図３】本発明のプッシュスイッチの正面図。
【図４】本発明のプッシュスイッチの平面図。
【図５】本発明のプッシュスイッチの側面面図。
【図６】本発明のプッシュスイッチの底面図。
【図７】本発明のプッシュスイッチの要部分解斜視図。
【図８】本発明のプッシュスイッチのハウジングを示す斜視図。
【図９】本発明のプッシュスイッチの接点部材の配置状態及びカバーの取り付け状態を簡略化して示す説明図。
【図１０】従来のプッシュスイッチを背面側より見て示す斜視図。
【図１１】図１０のＢ−Ｂ線に沿う断面図。
【図１２】従来のプッシュスイッチを示す正面図。
【図１３】従来のプッシュスイッチを示す底面図。
【図１４】従来のプッシュスイッチを示す側面図。
【符号の説明】
【００６０】
１          プッシュスイッチ
２          ハウジング
２ａ        下面
２ｂ        左右の側面
２ｃ        後側面
２ｄ        上面
２ｅ        前側面
３          収納部
４          内底部
５          第１接点部材(切り換え用接点部材)
５ａ        固定接点
５ｂ        導出端子
６          第１接点部材(切り換え用接点部材)
６ａ        固定接点
６ｂ        導出端子
７          第２接点部材(アース用接点部材)
７ａ        外側固定端子
７ｂ        導出端子
８          開口部
９          操作部材
９ａ        押圧部
９ｂ        作動部
９ｃ        スライド部
９ｄ        当接部
１０        カバー
１０ａ      上面板
１０ｂ      取付脚
１０ｃ      係止片
１０ｄ      傾斜部
１２        係合凸部
１３        可動接点
１４        保護シート
１５        開口部
２０        プリント基板
【図１】
0004557043.tif 000002
【図２】
0004557043.tif 000003
【図３】
0004557043.tif 000004
【図４】
0004557043.tif 000005
【図５】
0004557043.tif 000006
【図６】
0004557043.tif 000007
【図７】
0004557043.tif 000008
【図８】
0004557043.tif 000009
【図９】
0004557043.tif 000010
【図１０】
0004557043.tif 000011
【図１１】
0004557043.tif 000012
【図１２】
0004557043.tif 000013
【図１３】
0004557043.tif 000014
【図１４】
0004557043.tif 000015